(57)【要約】【課題】通信先と通信する際に簡単な操作で通信可能な状態にするとともに条件設定が可能な状態にするインターフェース装置を提供する。【解決手段】本発明のインターフェース装置２００は、画像データを入力する原稿読取部２１１およびインターフェース２１２の少なくとも一方と、原稿読取部２１１またはインターフェース２１２に入力された画像データに含まれる通信手段を特定するための文字情報および通信先を特定するための文字情報を抽出する文字認識部２２０と、原稿読取部２１１またはインターフェース２１２に入力された画像データを表示する表示部２３１を有し、表示部２３１に対するユーザの領域選択操作を受け付け可能に構成された操作部２３０と、を備える。【選択図】図３
2010147511.tif 000002
【特許請求の範囲】
【請求項１】
画像データを入力する画像入力部と、
前記画像入力部に入力された前記画像データに含まれる通信手段を特定するための文字情報および通信先を特定するための文字情報を抽出する文字認識部と、
前記画像入力部に入力された前記画像データを表示する表示部を有し、前記表示部に対するユーザの領域選択操作を受け付け可能に構成された操作部と、
を備え、
前記操作部は、前記文字認識部で抽出された文字情報が存在する領域が選択されたときに、選択された領域に対応する通信手段を使用するモードを選択する操作および通信先を指定する入力操作があったものと取り扱うインターフェース装置。
【請求項２】
前記画像データを前記文字認識部で抽出された情報とともにデータベースとして記憶する記憶部をさらに備え、
前記操作部は、前記記憶部に記憶された前記画像データを読み出して前記表示部に表示させる請求項１に記載のインターフェース装置。
【請求項３】
前記文字認識部は、前記画像入力部に入力された前記画像データに含まれる個人情報を特定するための文字情報をさらに抽出し、
前記画像データを前記文字認識部で抽出された情報とともにデータベースとして記憶する記憶部をさらに備え、
前記操作部は、前記記憶部に記憶された前記画像データのうち所望の前記画像データを検索し、検索された前記画像データを前記表示部に表示させる請求項１に記載のインターフェース装置。
【請求項４】
前記表示部は、前記画像データのサムネイルを表示する請求項２または３に記載のインターフェース装置。
【請求項５】
前記表示部は、タッチパネルで構成され、
前記操作部は、前記表示部に表示された前記画像データにおける前記領域がタッチされることで前記領域における情報に基づいた入力画面への切替および通信先の指定をする請求項１〜４のいずれか１項に記載のインターフェース装置。
【請求項６】
前記通信手段を特定するための文字情報は、電子メールアドレス、ファクシミリ番号および電話番号の少なくともいずれかを含む請求項１〜５のいずれか１項に記載のインターフェース装置。
【請求項７】
前記通信先を特定するための文字情報は、電子メールアドレス、ファクシミリ番号および電話番号の少なくともいずれかを含む請求項１〜６のいずれか１項に記載のインターフェース装置。
【請求項８】
前記個人情報を特定するための文字情報は、氏名および勤務先名の少なくとも一方を含む請求項３に記載のインターフェース装置。
【請求項９】
請求項１〜８のいずれか１項に記載のインターフェース装置を備える画像形成装置。
【発明の詳細な説明】
【技術分野】
【０００１】
本発明は、各種情報を含む画面を表示する表示手段を有するインターフェース装置およびこのインターフェース装置を備える画像形成装置に関する。
【背景技術】
【０００２】
ファクシミリ装置で送信を行うときに相手先のファクシミリ番号を指定する方法は、主に２つある。１つは相手先のファクシミリ番号をマニュアルで入力する方法であり、もう１つは予め登録されているファクシミリ番号の中から相手先のファクシミリ番号を選択する方法である。
【０００３】
また、近年においては、上記の方法以外に、宛先情報が記載された名刺等のシートを装置本体に挿入するだけで、相手先のファクシミリ番号が自動入力されて自動発呼を行い、ユーザの手間を上記方法に比べてさらに省くことができるファクシミリ装置が開発されている（例えば、特許文献１参照。）。
【特許文献１】特開平０５−３２８０８８号公報
【発明の開示】
【発明が解決しようとする課題】
【０００４】
しかし、特許文献１では、名刺を装置本体に挿入すると自動発呼をしてしまうため、ユーザによる送信前の条件設定作業ができず、ユーザに不都合を与える。
【０００５】
そこで本発明の目的は、上記課題に鑑み、通信先と通信する際に簡単な操作で通信可能な状態にするとともに条件設定が可能な状態にするインターフェース装置を提供することにある。
【課題を解決するための手段】
【０００６】
本発明のインターフェース装置は、画像データを入力する画像入力部と、前記画像入力部に入力された前記画像データに含まれる通信手段を特定するための文字情報および通信先を特定するための文字情報を抽出する文字認識部と、前記画像入力部に入力された前記画像データを表示する表示部を有し、前記表示部に対するユーザの領域選択操作を受け付け可能に構成された操作部と、を備える。
【０００７】
前記操作部は、前記文字認識部で抽出された文字情報が存在する領域が選択されたときに、選択された領域に対応する通信手段を使用するモードを選択する操作および通信先を指定する入力操作があったものと取り扱う。
【０００８】
この構成では、名刺等のシートを読み取って画像データを生成する原稿読取部および外部機器から画像データを受信するインターフェースを総称して画像入力部としている。その画像入力部に入力された画像データに電話番号、ファクシミリ番号および電子メールアドレス等の通信手段を特定するとともに通信先を特定するための情報が記載されている場合には、文字認識部によってそれらの通信情報が抽出される。文字認識部によって抽出された情報は操作部に渡される。操作部は、文字認識部で抽出された情報の画像データにおける領域を特定し、ユーザによって表示部に表示された画像データ中の通信情報が選択されると、その通信情報に基づいた入力画面への切替とともに通信先の指定をする。
【０００９】
したがって、本発明においては、通信先と通信する際に複雑な操作を要することなく簡単な操作で通信可能な状態にするとともに通信前に条件設定が可能な状態にする。
【００１０】
本発明のインターフェース装置は、前記画像データを前記文字認識部で抽出された情報とともにデータベースとして記憶する記憶部をさらに備え、前記操作部は、前記記憶部に記憶された前記画像データを読み出して前記表示部に表示させてもよい。
【００１１】
この構成では、画像入力部に入力された画像データを文字認識部で抽出された情報とともにデータベースとして記憶し、その記憶情報を読み出すことにより、次回以降において同じ通信先と通信する際に、記憶情報を読み出すだけで通信可能な状態な状態にするとともに通信前に条件設定が可能な状態にする。
【００１２】
前記文字認識部は、前記画像入力部に入力された前記画像データに含まれる個人情報を特定するための文字情報をさらに抽出し、本発明のインターフェース装置は、前記画像データを前記文字認識部で抽出された情報とともにデータベースとして記憶する記憶部をさらに備え、前記操作部は、前記記憶部に記憶された前記画像データのうち所望の前記画像データを検索し、検索された前記画像データを前記表示部に表示させてもよい。
【００１３】
この構成では、画像入力部に入力された画像データを文字認識部で抽出された情報とともにデータベースとして記憶し、その記憶情報を検索して表示部に表示することにより、次回以降において画像入力部で画像を入力することなく通信可能な状態にするとともに通信前に条件設定が可能な状態にする。
【００１４】
前記表示部は、前記画像データのサムネイルを表示すると好ましい。
【００１５】
この構成では、記憶部に記憶された画像データを表示部に表示する際に、サムネイル表示することにより必要な画像データが検索しやすくなる。
【００１６】
前記表示部は、タッチパネルで構成され、前記操作部は、前記表示部に表示された前記画像データにおける前記領域がタッチされることで前記領域における情報に基づいた入力画面への切替および通信先の指定をすると好ましい。
【００１７】
この構成では、表示部がタッチパネルで構成されることにより、ワンタッチで各種操作を行うことができるため、より簡単に通信可能な状態にするとともに通信前に条件設定が可能な状態にする。
【００１８】
本発明の画像形成装置は、本発明のインターフェース装置を備える。
【００１９】
この構成では、画像形成装置に本発明のインターフェース装置を備えることにより、電話、ファクシミリ、電子メール等の通信手段と通信する際に簡単に通信可能な状態にするとともに通信前に条件設定が可能な状態にする。
【発明の効果】
【００２０】
本発明におけるインターフェース装置は、通信先と通信する際に簡単な操作で通信可能な状態にするとともに条件設定が可能な状態にする。
【発明を実施するための最良の形態】
【００２１】
以下、本発明の最良の実施形態に係るインターフェース装置およびこのインターフェース装置を備える画像形成装置を、図面を参照にしつつ詳細に説明する。
【００２２】
図１は、本発明の実施形態に係る画像形成装置の構成を示す図である。
【００２３】
画像形成装置１００は、外部から伝達された画像データに応じて、所定のシート（記録用紙）に対して多色および単色の画像を形成するもので、装置本体１１０と、自動原稿処理装置１２０とにより構成されている。装置本体１１０は、露光ユニット１、現像器２、感光体ドラム３、クリーナユニット４、帯電器５、中間転写ベルトユニット６、定着ユニット７、給紙カセット８１および排紙トレイ９１を有して構成されている。
【００２４】
装置本体１１０の上部には、画像読取装置に該当するものであり、原稿が載置される透明ガラスからなる原稿載置台９２が設けられ、原稿載置台９２の上側には自動原稿処理装置１２０が取り付けられている。自動原稿処理装置１２０は、原稿載置台９２の上に自動で原稿を搬送する。また、自動原稿処理装置１２０は、矢印Ｍ方向に回動自在に構成され、原稿載置台９２の上を開放することにより原稿を手置きで置くことができるようになっている。
【００２５】
画像形成装置１００において扱われる画像データは、ブラック（Ｋ）、シアン（Ｃ）、マゼンタ（Ｍ）およびイエロー（Ｙ）の各色を用いたカラー画像に応じたものである。したがって、現像器２、感光体ドラム３、帯電器５およびクリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２６】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００２７】
露光ユニット１は、レーザ射出部および反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１としては、この他発光素子をアレイ状に並べた例えばＥＬやＬＥＤ書き込みヘッドを用いる手法も採用できる。
【００２８】
露光ユニット１は、帯電された感光体ドラム３を入力された画像データに応じて露光することにより、その表面に、画像データに応じた静電潜像を形成する機能を有する。現像器２は、それぞれの感光体ドラム３上に形成された静電潜像を４色（ＹＭＣＫ）のトナーにより顕像化するものである。また、クリーナユニット４は、現像・画像転写後における感光体ドラム３上の表面に残留したトナーを除去・回収する。
【００２９】
感光体ドラム３の上方に配置されている中間転写ベルトユニット６は、中間転写ベルト６１、中間転写ベルト駆動ローラ６２、中間転写ベルト従動ローラ６３、中間転写ローラ６４および中間転写ベルトクリーニングユニット６５を備えている。中間転写ローラ６４は、ＹＭＣＫ用の各色に対応して４本設けられている。
【００３０】
中間転写ベルト駆動ローラ６２、中間転写ベルト従動ローラ６３および中間転写ローラ６４は、中間転写ベルト６１を張架して回転駆動させる。また、各中間転写ローラ６４は、感光体ドラム３のトナー像を、中間転写ベルト６１上に転写するための転写バイアスを与える。
【００３１】
中間転写ベルト６１は、各感光体ドラム３に接触するように設けられている。そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００３２】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８ｍｍ〜１０ｍｍの金属（例えばステンレス）軸をベースとし、その表面が導電性の弾性材（例えばＥＰＤＭ、発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００３３】
上述のように各感光体ドラム３上で各色相に応じて顕像化された静電像は中間転写ベルト６１で積層される。このように、積層された画像情報は中間転写ベルト６１の回転によって、用紙と中間転写ベルト６１との接触位置に配置される転写ローラ１０によって用紙上に転写される。
【００３４】
このとき、中間転写ベルト６１と転写ローラ１０は所定ニップで圧接されるとともに、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは中間転写ベルト駆動ローラ６２のいずれか一方を硬質材料（金属等）とし、他方を弾性ローラ等の軟質材料（弾性ゴムローラまたは発泡性樹脂ローラ等）としている。
【００３５】
また、上記のように、感光体ドラム３に接触することにより中間転写ベルト６１に付着したトナーもしくは転写ローラ１０によって用紙上に転写が行われず中間転写ベルト６１上に残存したトナーは、次工程でトナーの混色を発生させる原因となるため、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３６】
給紙カセット８１は、画像形成に使用するシート（記録用紙）を蓄積しておくためのトレイであり、装置本体１１０の露光ユニット１の下側に設けられている。また、手差し給紙カセット８２にも画像形成に使用するシートを置くことができる。さらに、装置本体１１０の上方に設けられている排紙トレイ９１は、印刷済みのシートをフェイスダウンで集積するためのトレイである。
【００３７】
装置本体１１０には、給紙カセット８１および手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０および定着ユニット７が配置されている。
【００３８】
搬送ローラ１２ａ〜１２ｄは、シートの搬送を促進・補助するための小型のローラであり、用紙搬送路Ｓに沿って複数設けられている。ピックアップローラ１１ａは、給紙カセット８１の端部近傍に備えられ、給紙カセット８１からシートを１枚ずつピックアップして用紙搬送路Ｓに供給する。同様にピックアップローラ１１ｂは、手差し給紙カセット８２の端部近傍に設けられ、手差し給紙カセット８２からシートを１枚ずつピックアップして用紙搬送路Ｓに供給する。
【００３９】
また、レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００４０】
定着ユニット７は、ヒートローラ７１および加圧ローラ７２を備えており、ヒートローラ７１および加圧ローラ７２は、シートを挟んで回転するようになっている。またヒートローラ７１は、図示しない温度検出器からの信号に基づいて制御部によって所定の定着温度となるように設定されており、加圧ローラ７２とともにトナーをシートに熱圧着することにより、シートに転写された多色トナー像を溶融・混合・圧接し、シートに対して熱定着させる機能を有している。またヒートローラ７１を外部から加熱するための外部加熱ベルト７３が設けられている。
【００４１】
次にシート搬送経路を詳細に説明する。上述のように、画像形成装置には予めシートを収納する給紙カセット８１および手差し給紙カセット８２が設けられている。これら給紙カセット８１，８２からシートを給紙するために、各々ピックアップローラ１１ａ，１１ｂが配置され、シートを１枚ずつ搬送路Ｓに導くようになっている。
【００４２】
各給紙カセット８１，８２から搬送されるシートは用紙搬送路Ｓの搬送ローラ１２ａによってレジストローラ１３まで搬送され、シートの先端と中間転写ベルト６１上の画像情報の先端を整合するタイミングで転写ローラ１０に搬送され、シート上に画像情報が書き込まれる。その後、シートは定着ユニット７を通過することによってシート上の未定着トナーが熱で溶融・固着され、その後に配された搬送ローラ１２ｂを経て排紙トレイ９１上に排出される。
【００４３】
上記の搬送経路は、シートに対する片面印字要求のときのものであるが、これに対して両面印字要求のときは、上記のように片面印字が終了し定着ユニット７を通過したシートの後端が最終の搬送ローラ１２ｂで把持されたときに、搬送ローラ１２ｂが逆回転することによってシートを搬送ローラ１２ｃ，１２ｄに導く。そしてその後レジストローラ１３を経てシート裏面に印字が行われた後にシートが排紙トレイ９１に排出される。
【００４４】
図２は、本発明の実施形態に係る画像形成装置と通信手段との接続状況を示すブロック図である。
【００４５】
画像形成装置１００は、本発明のインターフェース装置２００を備え、他の通信手段と通信できる機能を備える。通信手段としては電話機４００、ファクシミリ装置５００およびパソコン６００等が該当する。本実施形態では、画像形成装置１００は、電話機４００と回線を通じて接続し、ファクシミリ装置５００と回線を通じて接続もしくはサーバー３００を介して接続し、サーバー３００を介してパソコン６００と接続している。本発明は、これら通信手段と通信する際のインターフェース装置２００における処理に関するものである。以下、インターフェース装置２００について詳述する。
【００４６】
図３は、本発明の実施形態に係るインターフェース装置の構成を示すブロック図である。
【００４７】
インターフェース装置２００は、画像データを入力するための画像入力部としての原稿読取部２１１およびインターフェース２１２の少なくとも一方、原稿読取部２１１またはインターフェース２１２に入力された原稿データから通信手段を特定するための情報、通信先を特定するための情報および個人情報を特定するための情報を抽出する文字認識部２２０、原稿読取部２１１またはインターフェース２１２に入力された画像データを表示する表示部２３１を有し、文字認識部２２０で抽出された情報の画像データにおける領域を特定し、画像データを表示した表示部２３１においてその領域が選択されると、その領域における情報に基づいた入力画面への切替および通信先の指定をする操作部２３０ならびに画像データを文字認識部２２０で抽出された情報とともにデータベースとして記憶する記憶部２６０を備える。通信手段を特定するための情報は、電子メールアドレス、ファクシミリ番号および電話番号の少なくともいずれかから構成される。また、通信先を特定するための情報は、電子メールアドレス、ファクシミリ番号および電話番号の少なくともいずれかから構成される。さらに、個人情報を特定するための情報は、氏名および勤務先名の少なくとも一方から構成される。記憶部２６０に記憶された画像データ等の情報は、操作部２３０にて読み出し可能である。
【００４８】
図４は、本発明の実施形態に係るインターフェース装置における処理内容を示すフローチャートである。
【００４９】
原稿読取部２１１にて画像データが読み取られたとき（Ｓ１０）、または外部機器からインターフェース２１２に画像データが入力されたときは（Ｓ１０）、その画像データは文字認識部２２０に送られる。その画像データ上に通信手段を特定するための情報および通信先を特定するための情報である通信情報があれば、これらの通信情報が文字認識部２２０によって抽出される（Ｓ１２）。文字認識部２２０で抽出された通信情報が操作部２３０に送られ、操作部２３０は、これらの通信情報が画像データ上のどの領域を占めているかを特定する（Ｓ１４）。画像データ上には複数の通信情報が含まれている場合があり、この場合には通信情報ごとに領域を特定する。
【００５０】
原稿読取部２１１で読み取った画像データまたは外部機器からインターフェース２１２に入力された画像データは、操作部２３０に送られて表示部２３１においてその画像データが表示されるとともに、操作部２３０は、通信情報が画像データ上のどの領域を占めているかの情報を表示部２３１上に展開し、ユーザにその領域を選択可能とする（Ｓ１６）。そして表示部２３１において通信情報に対応する領域が選択されると（Ｓ１８）、操作部２３０は、選択された通信情報に対応する入力画面へ切り替え（Ｓ２０）、通信先の指定を行う（Ｓ２２）。
【００５１】
図５は、本発明の実施形態に係るインターフェース装置における表示部の表示内容を示す図である。
【００５２】
図５における表示部２３１は、原稿読取部２１１またはインターフェース２１２に画像データが入力されていないときの状態を示す。この状態においては、名刺キー２３２および読出キー２３３が表示されている。名刺キー２３２が選択されると、通信手段を特定するための情報および通信先を特定するための情報が記載された名刺等のシートを読み込むためのモードに遷移して原稿読取部２１１にてそのシートを読み取ることができる。また、読出キー２３３が選択されると、図１１の画面に遷移し、過去に読み取った名刺等の画像データを読み込むためのモードに遷移する。
【００５３】
なお、本実施形態における表示部２３１は、タッチパネルで構成されると好ましい。表示部２３１においてカーソル等で操作をする必要がなく、ワンタッチで所定操作を行えるため、ユーザにとって利便性が向上する。以下、表示部２３１がタッチパネルで構成される場合について記載する。
【００５４】
図６は、本発明の実施形態に係るインターフェース装置において扱うシートの一例を示す図である。
【００５５】
図６に示す名刺等のシート７００には、通信手段を特定するための情報および通信先を特定するための情報を構成する通信情報７１０ならびに個人情報を特定するための情報を構成する勤務先名７２０および氏名７３０の各情報が記載されている。このシート７００を原稿読取部２１１で読み取って画像データが生成されると、その画像データは文字認識部２２０に送られる。そして文字認識部２２０は、上記各情報を認識する。
【００５６】
通信情報７１０において、「電話」や「Ｔｅｌ」という文字情報があれば、その前後にある数字が電話番号を表していると認識される。また、「ファクシミリ」や「Ｆａｘ」という文字情報があれば、その前後にある数字がファクシミリ番号を表していると認識される。さらに、「メール」や「Ｍａｉｌ」という文字情報があれば、その前後にある文字列が電子メールアドレスを表していると認識される。
【００５７】
勤務先名７２０において、「株式会社」や「（株）」や「事務所」という文字があれば、その前後にある文字が勤務先名を表していると認識される。また、氏名７３０において、シート上における氏名は一番大きな文字で表示されていることが多いため、文字サイズの最も大きいものがあれば、氏名を表していると認識される。
【００５８】
このように文字認識部２２０で認識された各情報は、画像データとともに記憶部２６０にデータベースとして記憶される。
【００５９】
図７は、本発明の実施形態に係るインターフェース装置における表示部の表示内容を示す図である。
【００６０】
図７は、シート７００の画像データが表示部２３１に表示されている図である。この状態において表示部２３１には、名刺呼出キー２４１、登録キー２４２、スクロールキー２４３、検索キー２４４およびサイズ変更キー２４５等の各キーが表示される。
【００６１】
名刺呼出キー２４１が選択されると、記憶部２６０に記憶されている画像データが読み出される。詳細は図１１において説明する。登録キー２４２が選択されると、原稿読取部２１１で読み取った画像データまたはインターフェース２１２を介して入力された画像データと文字認識部２２０で認識された情報とが記憶部２６０に記憶される。スクロールキー２４３が選択されると、現在表示されていない画像データをスクロール表示する。検索キー２４４が選択されると、記憶部２６０に記憶されている画像データを検索する画面に遷移する。詳細は図１２において説明する。サイズ変更キー２４５が選択されると、表示部２３１に表示されている画像データのサイズを変更することができる。サイズを変更することで、画像データのサムネイルを表示することもできる。
【００６２】
図８は、本発明の実施形態に係るインターフェース装置における表示部の表示内容を示す図である。
【００６３】
図８（Ａ）は、図７において電子メールアドレスが記載された領域が選択されて画面が遷移した後の図である。図８（Ａ）では、選択された電子メールアドレスが通信先として指定されている。指定された電子メールアドレスは、ソフトキーボード２５２を使って編集できる。通信先として正しい電子メールアドレスが指定されているときは、ＯＫキー２５１を選択することで図８（Ｂ）の条件設定画面に遷移する。図８（Ｂ）では、通信先に送信するデータのフォーマット等を指定することができる。各条件を設定した後で送信キー２５３を選択すると、指定された通信先にデータが送信される。
【００６４】
図９は、本発明の実施形態に係るインターフェース装置における表示部の表示内容を示す図である。
【００６５】
図９（Ａ）は、図７においてファクシミリ番号が記載された領域が選択されて画面が遷移した後の図である。図９（Ａ）では、選択されたファクシミリ番号が通信先として指定されている。指定されたファクシミリ番号は、ソフトキーボード２５２を使って編集できる。通信先として正しいファクシミリ番号が指定されているときは、ＯＫキー２５１を選択することで図９（Ｂ）の条件設定画面に遷移する。図９（Ｂ）では、通信先に送信するデータの濃度等を指定することができる。各条件を設定した後で送信キー２５３を選択すると、指定された通信先にデータが送信される。
【００６６】
図１０は、本発明の実施形態に係るインターフェース装置における表示部の表示内容を示す図である。
【００６７】
図１０（Ａ）は、図７において電話番号が記載された領域が選択されて画面が遷移した後の図である。図１０（Ａ）では、選択された電話番号が通信先として指定されている。指定された電話番号は、ソフトキーボード２５２を使って編集できる。通信先として正しい電話番号が指定されているときは、ＯＫキー２５１を選択することで図１０（Ｂ）の送信画面に遷移する。ここで電話発信キー２５４を選択すると、指定された通信先に電話をかけることができる。
【００６８】
図１１は、本発明の実施形態に係るインターフェース装置における表示部の表示内容を示す図である。
【００６９】
図１１（Ａ）は、図５において読出キー２３３が選択されたとき、または図７において名刺呼出キー２４１が選択されたときの図である。図１１（Ａ）では、記憶部２６０に記憶されている画像データがサムネイル表示されている。図１１（Ａ）のようにサムネイル表示することで、複数の画像データを確認できるため、所望の画像データを探しやすい利点がある。なお、画像データの表示数を変更したいときには、サイズ変更キー２４５を選択して調整すればよい。
【００７０】
図１１（Ｂ）は、図１１（Ａ）において表示された画像データのうち所定の画像データを選択したときの図である。この状態において、電話番号、ファクシミリ番号または電子メールアドレスに対応する領域が選択されると、それぞれ図８〜図１０の画面に遷移する。
【００７１】
図１２は、本発明の実施形態に係るインターフェース装置における表示部の表示内容を示す図である。
【００７２】
図１２は、図７または図１１において検索キー２４４が選択されて表示部２３１の表示が検索モードに移行した図である。検索モードでは、シート７００等の画像データに記載された情報に基づいて所望の画像データを検索できる。より詳しくは、勤務先名ボックス、名前ボックス、電話番号ボックス、ファクシミリ番号ボックスおよび電子メールアドレスボックスが表示され、それぞれのボックスにソフトキーボード２５２を使用して検索したい情報を入力して検索キー２４４を選択することで、図１１（Ａ）に示すように該当する画像データが表示される。検索された画像データが複数ある場合は、その中から所望の画像データを選択すると、図１１（Ｂ）に示す状態となる。そこで電話番号、ファクシミリ番号または電子メールアドレスに対応する領域が選択されると、それぞれ図８〜図１０の画面に遷移する。
【００７３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００７４】
【図１】本発明の実施形態に係る画像形成装置の構成を示す図である。
【図２】本発明の実施形態に係る画像形成装置と通信手段との接続状況を示すブロック図である。
【図３】本発明の実施形態に係るインターフェース装置の構成を示すブロック図である。
【図４】本発明の実施形態に係るインターフェース装置における処理内容を示すフローチャートである。
【図５】本発明の実施形態に係るインターフェース装置における表示部の表示内容を示す図である。
【図６】本発明の実施形態に係るインターフェース装置において扱うシートの一例を示す図である。
【図７】本発明の実施形態に係るインターフェース装置における表示部の表示内容を示す図である。
【図８】本発明の実施形態に係るインターフェース装置における表示部の表示内容を示す図である。
【図９】本発明の実施形態に係るインターフェース装置における表示部の表示内容を示す図である。
【図１０】本発明の実施形態に係るインターフェース装置における表示部の表示内容を示す図である。
【図１１】本発明の実施形態に係るインターフェース装置における表示部の表示内容を示す図である。
【図１２】本発明の実施形態に係るインターフェース装置における表示部の表示内容を示す図である。
【符号の説明】
【００７５】
１００−画像形成装置
２００−インターフェース装置
２１１−原稿読取部
２１２−インターフェース
２２０−文字認識部
２３０−操作部
２３１−表示部
２６０−記憶部
【図１】
2010147511.tif 000003
【図２】
2010147511.tif 000004
【図３】
2010147511.tif 000005
【図４】
2010147511.tif 000006
【図５】
2010147511.tif 000007
【図６】
2010147511.tif 000008
【図７】
2010147511.tif 000009
【図８】
2010147511.tif 000010
【図９】
2010147511.tif 000011
【図１０】
2010147511.tif 000012
【図１１】
2010147511.tif 000013
【図１２】
2010147511.tif 000014